(57)【要約】【課題】スクリーンの使用準備作業及び収納作業を簡単に行うことができ、軽量なスライドアップスクリーン装置を提供する。【解決手段】スクリーン１１の裏面側に、支点１４ａを中心に回転可能なように支柱１４を収納部１３の一端部に取り付ける。支柱１４を引き上げてトップバー１２の略中央を支柱１４により保持する。また、支柱１４を支える補助柱１５の一端を支柱１４に対して回転可能に設ける。収納部１３には、溝１３０を設け、補助柱１５の他端をガイドするとともに、位置決め溝部１３０ａ，１３０ｂにより、補助柱１５の位置を決めることにより、支柱１４の高さ方向の位置を決める。【選択図】図２
2007334160.tif 000002
【特許請求の範囲】
【請求項１】
巻き取り可能なスクリーンと、
前記スクリーンを巻き取った状態で収納可能であり、使用時に下部に設置される収納部と、
前記収納部の前記スクリーンを巻き取る軸方向の一端部に取り付けられ、前記スクリーンを引き上げた状態で保持可能な支柱と、
を備えるスライドアップスクリーン装置。
【請求項２】
請求項１に記載のスライドアップスクリーン装置において、
前記支柱は、前記収納部に対して回転可能に取り付けられており、前記スクリーンを保持しないときには、前記収納部の前記スクリーンを巻き取る軸に略沿う位置に収納可能であること、
を特徴とするスライドアップスクリーン装置。
【請求項３】
請求項１又は請求項２に記載のスライドアップスクリーン装置において、
前記スクリーンを引き上げた状態で保持する位置に前記支柱の位置を保つ支柱補助手段を有すること、
を特徴とするスライドアップスクリーン装置。
【請求項４】
請求項３に記載のスライドアップスクリーン装置において、
前記支柱補助手段は、一端が前記支柱又は前記収納部に回転可能に取り付けられ、他端が前記支柱又は前記収納部に係合可能な係合部となっている補助柱であること、
を特徴とするスライドアップスクリーン装置。
【請求項５】
請求項３に記載のスライドアップスクリーン装置において、
前記支柱補助手段は、一端が前記支柱に回転可能に取り付けられ、他端が前記収納部に回転可能に取り付けられたダンパであること、
を特徴とするスライドアップスクリーン装置。
【請求項６】
請求項１から請求項５までのいずれか１項に記載のスライドアップスクリーン装置において、
前記支柱は、複数本を組み合わせて形成されており、複数本の支柱が互いに回転可能な状態で結合していること、
を特徴とするスライドアップスクリーン装置。
【請求項７】
請求項１から請求項６までのいずれか１項に記載のスライドアップスクリーン装置において、
前記スクリーンの前記収納部とは反対側の端部には、上部支持部材が取り付けられており、
前記上部支持部材は、その略中央で前記支柱に保持されること、
を特徴とするスライドアップスクリーン装置。
【請求項８】
請求項１から請求項６までのいずれか１項に記載のスライドアップスクリーン装置において、
前記スクリーンの前記収納部とは反対側の端部には、上部支持部材が取り付けられており、
前記上部支持部材の２カ所に固定され、前記支柱に保持される支持枠を有すること、
を特徴とするスライドアップスクリーン装置。
【請求項９】
請求項８に記載のスライドアップスクリーン装置において、
前記支持枠が前記上部支持部材に固定される位置は、前記上部支持部材の両端付近であること、
を特徴とするスライドアップスクリーン装置。
【請求項１０】
請求項８又は請求項９に記載のスライドアップスクリーン装置において、
前記支持枠は、スクリーンの使用状態において、その略中央が前記支柱に保持されること、
を特徴とするスライドアップスクリーン装置。
【発明の詳細な説明】
【技術分野】
【０００１】
本発明は、床面等に設置してスクリーンを上方へ引き出して使用するスライドアップスクリーン装置に関するものである。
【背景技術】
【０００２】
近年、ＬＥＤ（Light Emitting Diode）を光源とした超小型プロジェクタが登場してきている。この超小型プロジェクタの主要な用途は、任意の場所に持ち運び、設置して投影させることであり、この超小型プロジェクタに合わせてより軽量で、設置の手間が掛からないスクリーンが必要になってきている。
可搬式の反射型スクリーンの使用準備作業及び収納作業を簡単に行うための機構として、特許文献１には、ガスダンパを用いてスクリーンを上方へ引き出した状態で、任意の高さで停止させることができるスライドアップスクリーンが記載されている。
しかし、特許文献１では、パンタグラフ状に支柱を組む構造が用いられており、重量が重くなるという問題があった。
【０００３】
また、特許文献２には、多重に収納されたパイプを引き伸ばし、これにスクリーンを取り付けるスクリーン装置が開示されている。
しかし、特許文献２に記載のスクリーン装置では、引き伸ばす作業が煩雑であるという問題があった。
【特許文献１】特許２７１９７４４号
【特許文献２】特開平９−１８９９６８号公報
【発明の開示】
【発明が解決しようとする課題】
【０００４】
本発明の課題は、スクリーンの使用準備作業及び収納作業を簡単に行うことができ、軽量なスライドアップスクリーン装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、巻き取り可能なスクリーン（１１，２１，３１）と、前記スクリーンを巻き取った状態で収納可能であり、使用時に下部に設置される収納部（１３，２３，３３）と、前記収納部の前記スクリーンを巻き取る軸方向の一端部に取り付けられ、前記スクリーンを引き上げた状態で保持可能な支柱（１４，２４，３４）と、を備えるスライドアップスクリーン装置（１０，２０，３０，４０）である。
請求項２の発明は、請求項１に記載のスライドアップスクリーン装置において、前記支柱（１４，２４，３４）は、前記収納部に対して回転可能に取り付けられており、前記スクリーン（１１，２１，３１）を保持しないときには、前記収納部の前記スクリーンを巻き取る軸に略沿う位置に収納可能であること、を特徴とするスライドアップスクリーン装置（１０，２０，３０，４０）である。
請求項３の発明は、請求項１又は請求項２に記載のスライドアップスクリーン装置において、前記スクリーン（１１，２１，３１）を引き上げた状態で保持する位置に前記支柱（１４，２４，３４）の位置を保つ支柱補助手段（１５，２５，３５，３７）を有すること、を特徴とするスライドアップスクリーン装置（１０，２０，３０，４０）である。
請求項４の発明は、請求項３に記載のスライドアップスクリーン装置において、前記支柱補助手段は、一端が前記支柱（１４）又は前記収納部に回転可能に取り付けられ、他端が前記支柱又は前記収納部（１３）に係合可能な係合部（１５ｂ）となっている補助柱（１５）であること、を特徴とするスライドアップスクリーン装置（１０）である。
請求項５の発明は、請求項３に記載のスライドアップスクリーン装置において、前記支柱補助手段は、一端が前記支柱（２４，３４）に回転可能に取り付けられ、他端が前記収納部（２３，３３）に回転可能に取り付けられたダンパ（２５，３５）であること、を特徴とするスライドアップスクリーン装置（２０，３０，４０）である。
請求項６の発明は、請求項１から請求項５までのいずれか１項に記載のスライドアップスクリーン装置において、前記支柱（３４，３６，４６）は、複数本を組み合わせて形成されており、複数本の支柱が互いに回転可能な状態で結合していること、を特徴とするスライドアップスクリーン装置（３０，４０）である。
請求項７の発明は、請求項１から請求項６までのいずれか１項に記載のスライドアップスクリーン装置において、前記スクリーン（１１，２１，３１）の前記収納部（１３，２３，３３）とは反対側の端部には、上部支持部材（１２，２２，３２，４２）が取り付けられており、前記上部支持部材は、その略中央で前記支柱（１４，２４，３４）に保持されること、を特徴とするスライドアップスクリーン装置（１０，２０，３０，４０）である。
請求項８の発明は、請求項１から請求項６までのいずれか１項に記載のスライドアップスクリーン装置において、前記スクリーン（３１）の前記収納部（３３）とは反対側の端部には、上部支持部材（４２）が取り付けられており、前記上部支持部材の２カ所に固定され、前記支柱（３４，４６）に保持される支持枠（４８）を有すること、を特徴とするスライドアップスクリーン装置（４０）である。
請求項９の発明は、請求項８に記載のスライドアップスクリーン装置において、前記支持枠（４８）が前記上部支持部材（４２）に固定される位置は、前記上部支持部材の両端付近であること、を特徴とするスライドアップスクリーン装置（４０）である。
請求項１０の発明は、請求項８又は請求項９に記載のスライドアップスクリーン装置において、前記支持枠（４８）は、スクリーンの使用状態において、その略中央が前記支柱（３４，４６）に保持されること、を特徴とするスライドアップスクリーン装置（４０）である。
【発明の効果】
【０００６】
本発明によれば、以下の効果を奏することができる。
（１）収納部のスクリーンを巻き取る軸方向の一端部に取り付けられ、スクリーンを引き上げた状態で保持可能な支柱を備えるので、スクリーンの使用準備作業及び収納作業を簡単に行うことができ、かつ、軽量なスライドアップスクリーン装置とすることができる。
【０００７】
（２）支柱は、収納部に対して回転可能に取り付けられており、スクリーンを保持しないときには、収納部のスクリーンを巻き取る軸に略沿う位置に収納可能であるので、収納時の大きさを小型にできる。
【０００８】
（３）スクリーンを引き上げた状態で保持する位置に支柱の位置を保つ支柱補助手段を有するので、スクリーンを安定して保持できる。
【０００９】
（４）支柱補助手段は、一端が支柱又は収納部に回転可能に取り付けられ、他端が支柱又は収納部に係合可能な係合部となっている補助柱であるので、簡単な構成となり、軽量かつ安価な装置とすることができる。
【００１０】
（５）支柱補助手段は、一端が支柱に回転可能に取り付けられ、他端が収納部に回転可能に取り付けられたダンパであるので、スクリーンの引き上げ高さを任意に設定できる。
【００１１】
（６）スクリーンの収納部とは反対側の端部には、上部支持部材が取り付けられており、上部支持部材は、その略中央で支柱に保持されるので、支柱の構成を簡単にでき、軽量かつ安価な装置とすることができる。
【００１２】
（７）支柱は、複数本を組み合わせて形成されており、複数本の支柱が互いに回転可能な状態で結合しているので、スクリーンの引き上げ高さをより高くできる。
【００１３】
（８）上部支持部材の２カ所に固定され、支柱に保持される支持枠を有するので、上部支持部材のたわみを防止でき、スクリーンの平面性をより高めることができる。
【００１４】
（９）支持枠が上部支持部材に固定される位置は、上部支持部材の両端付近であるので、上部支持部材のたわみを防止する効果を高めることができる。
【００１５】
（１０）支持枠は、スクリーンの使用状態において、その略中央が支柱に保持されるので、支柱の構成を簡単にでき、軽量かつ安価な装置とすることができる。
【発明を実施するための最良の形態】
【００１６】
スクリーンの使用準備作業及び収納作業を簡単に行うことができ、軽量なスライドアップスクリーン装置を提供するという目的を、スクリーンを引き上げた状態で保持可能な支柱を収納部の一端部に取り付けることにより実現した。
【実施例１】
【００１７】
図１は、実施例１のスライドアップスクリーン装置１０を正面側から見た図である。
実施例１のスライドアップスクリーン装置１０は、図１に示した正面側から不図示のプロジェクタにより投影された映像光を反射して表示する装置であり、スクリーン１１，トップバー１２，収納部１３を有している。
スクリーン１１は、巻き取り可能な可撓性を有した反射型のスクリーンであり、表示領域１１ａに映像を表示可能である。また、表示領域１１ａと収納部１３内に設けられた不図示の巻き芯との間には、リード部１１ｂが設けられている。このリード部１１ｂは、ある程度の余裕を持った長さで設けられているので、リード部１１ｂが収納部１３から引き出される量を変更することができ、表示領域１１ａの高さを変更できる。
なお、スクリーン１１は、リード部１１ｂを含め、表示領域１１ａ以外の部分が黒色になっている。
【００１８】
トップバー１２は、スクリーン１１の引き出し側の端部に取り付けられた棒状の上部支持部材であり、このトップバー１２を収納部１３の上方へ移動させると、スクリーン１１が収納部１３から引き出される。
収納部１３は、その内部に不図示の巻き芯を有しており、この巻き芯にスクリーン１１の一端が取り付けられている。巻き芯は、不図示のスプリングによりスクリーン１１を巻き取る方向に付勢されている。収納部１３は、巻き芯に巻き取られたスクリーン１１を収納可能な略直方体形状の細長い箱状の形状をしており、使用時に床面に安定して設置可能な形状をしている。
【００１９】
図２は、実施例１のスライドアップスクリーン装置１０を裏面側から見た図である。図２（ａ）は、スクリーン１１を収納部１３から引き出して伸展した使用状態を示し、図２（ｂ）は、使用状態と収納状態とを切り替える作業途中の状態を示し、図２（ｃ）は、収納状態を示している。
スライドアップスクリーン装置１０の裏面側には、支柱１４，補助柱１５が設けられている。
収納部１３の裏面側には、後述する補助柱１５の係合部１５ｂが係合する溝１３０が収納部１３の長手方向に沿って形成されている。溝１３０には、位置決め溝部１３０ａ，１３０ｂが収納部１３の長手方向に直交する、使用状態における下方へ分岐する形で形成されている。
【００２０】
支柱１４は、アルミニウム製のパイプにより形成された略棒状の部材であり、その一端付近の支点１４ａが、収納部１３の長手方向の一端部付近に回転可能に取り付けられており、使用状態と収納状態との間で支点１４ａを中心として回転させられる。支柱１４の支点１４ａとは反対側の端部には、トップバー１２の裏面側に設けられている突起部１２ａを保持可能な保持部１４ｂが設けられている。なお、図２では、説明のため保持部１４ｂを黒点で示しているが、実際には、保持部１４ｂは、支柱１４の正面側に設けられており、突起部１２ａを保持可能な切り欠き形状となっている。これと同様に、後述の係合部１５ｂについても、図２では、黒点で示しているが、実際には、係合部１５ｂは、支柱１４の正面側に設けられている。
また、支柱１４の長さは、保持部１４ｂが設けられた側の先端が収納状態において収納部１３からはみ出さない長さとなっている。
【００２１】
補助柱１５は、支柱１４と同様にアルミニウム製のパイプにより形成された略棒状の部材であり、支柱１４の支点１４ａと保持部１４ｂとの間となる位置に支点１５ａが回転可能に取り付けられている。支点１５ａとは反対側の端部付近には、係合部１５ｂが設けられている。係合部１５ｂは、溝１３０にガイドされて移動可能である。
【００２２】
次に、実施例１のスライドアップスクリーン装置１０の使用方法について説明する。
スライドアップスクリーン装置１０を使用するには、まず、図２（ｃ）に示すように収納状態のまま収納部１３を床面等に設置する。
そして、図２（ｃ）の収納状態から支柱１４の保持部１４ｂ側を上方へ引き上げる。そうすると、支柱１４の移動に従い、補助柱１５も追従して移動する。このとき、係合部１５ｂは、溝１３０にガイドされて移動する。係合部１５ｂが溝１３０にガイドされて移動して、位置決め溝部１３０ｂに到達すると、重力により係合部１５ｂが位置決め溝部１３０ｂに落ち込み、支柱１４がその位置（以下、第１の位置と呼ぶ）で止まる。
【００２３】
手で係合部１５ｂを位置決め溝部１３０ｂから外す等してさらに支柱１４の保持部１４ｂ側を上方へ引き上げると、係合部１５ｂが溝１３０にガイドされて移動して、位置決め溝部１３０ａに到達し、重力により係合部１５ｂが位置決め溝部１３０ａに落ち込み、支柱１４がその位置（以下、第２の位置と呼ぶ）で止まる（図２（ｂ））。
なお、図２では、位置決め溝部１３０ａを表すために、係合部１５ｂが位置決め溝部１３０ａに落ち込む直前の位置にずらして示している。
【００２４】
本実施例のスライドアップスクリーン装置１０では、位置決め溝部１３０ａ，１３０ｂの２カ所の位置決め溝部を設けたので、スクリーン１１を引き上げる高さを上述の第１の位置と第２の位置との２種類の中から選択することができる。なお、位置決め溝部を１カ所のみとして、常に同じ高さの使用状態に簡単に設定できるようにしてもよい。
最後に、トップバー１２を上方に引き上げて、突起部１２ａを保持部１４ｂにより保持させれば、スクリーン１１が伸展されて使用状態（図２（ａ））となる。このように、本実施例のスライドアップスクリーン装置１０は、単体で自立して使用可能な装置となっており、必要に応じて容易に設置及び収納を行える。
【００２５】
本実施例によれば、支柱１４の支点１４ａを収納部１３の一端部付近に設けたので、使用準備作業及び収納作業を簡単に行うことができる。また、上述のような簡単な構成であるから、部品点数が少なく、かつ、形状が簡単なためアルミニウム製のパイプ等を利用でき、軽量なスライドアップスクリーン装置とすることができる。さらに、支柱１４及び補助柱１５は、スクリーン１１よりも裏面側に配置されるので、使用時の外観を損ねることがない。
【実施例２】
【００２６】
図３は、実施例２のスライドアップスクリーン装置２０を裏面側から見た図である。図３（ａ）は、スクリーン２１を収納部２３から引き出して伸展した使用状態を示し、図３（ｂ）は、収納状態を示している。
実施例２のスライドアップスクリーン装置２０は、実施例１のスライドアップスクリーン装置１０よりも使用準備作業及び収納作業を簡単に行えるように改良した例であり、スクリーン２１，トップバー２２，収納部２３，支柱２４，ダンパ２５を有している。
スクリーン２１は、実施例１のスクリーン１１と同様な反射型スクリーンである。
トップバー２２は、実施例１のトップバー１１と同様な上部支持部材であるが、突起部１２ａに相当する部分が形成されておらず、代わりに、溝２２ａが長手方向に沿って形成されている。
収納部２３は、実施例１の収納部１３と同様な部材であるが、溝１３０に相当する部分が形成されていない。
【００２７】
支柱２４は、アルミニウム製のパイプにより形成された略棒状の部材であり、その一端付近の支点２４ａが、収納部２３の長手方向の一端部付近に回転可能に取り付けられており、使用状態と収納状態との間で支点２４ａを中心として回転させられる。支柱２４の支点２４ａとは反対側の端部には、トップバー２２の裏面側に設けられている溝２２ａに係合して移動をガイドされるガイド部２４ｂが設けられている。なお、図３では、説明のためガイド部２４ｂを黒点で示しているが、実際には、ガイド部２４ｂは、支柱２４の正面側に突出して設けられている。
また、支柱２４の長さは、ガイド部２４ｂが設けられた側の先端が収納状態において収納部２３からはみ出さない長さとなっている。
ダンパ２５は、一方の支点２５ａが支柱２４の支点２４ａとガイド部２４ｂとの間となる位置に回転可能に取り付けられており、もう一方の支点２５ｂが収納部２３に回転可能に取り付けられているオイルダンパである。
【００２８】
次に、実施例２のスライドアップスクリーン装置２０の使用方法について説明する。
スライドアップスクリーン装置２０を使用するには、まず、図３（ｂ）に示すように収納状態のまま収納部２３を床面等に設置する。
そして、図３（ｂ）の収納状態からトップバー２２を上方へ引き上げる。そうすると、溝２２ａにガイドされて支柱２４も回転しながら引き上げられ、ダンパ２５の作動抵抗力により支柱２４の位置が任意の位置で固定される。従って、スクリーン２２の引き出し高さを任意の高さとすることができる。
【００２９】
本実施例によれば、支柱２４のガイド部２４ｂがトップバー２２の溝２２ａによりガイドされるので、使用準備作業及び収納作業をより簡単に行うことができる。
また、ダンパ２５を備えたので、スクリーン２２の引き出し高さを自由に設定できる。
【実施例３】
【００３０】
図４は、実施例３のスライドアップスクリーン装置３０を裏面側から見た図である。図４（ａ）は、スクリーン３１を収納部３３から引き出して伸展した使用状態を示し、図４（ｂ）は、使用状態であるが図４（ａ）の状態よりもスクリーン３１の引き出し高さの低い状態を示し、図４（ｃ）は、収納状態を示している。
実施例３のスライドアップスクリーン装置３０は、実施例２のスライドアップスクリーン装置２０よりもさらに高い位置までスクリーン３１を引き上げることができるとともに、スクリーン３２の引き出し高さをより自由に設定可能とした例である。実施例３のスライドアップスクリーン装置３０は、スクリーン３１，トップバー３２，収納部３３，第１の支柱３４，第１のダンパ３５，第２の支柱３６，第２のダンパ３７を有している。
スクリーン３１は、実施例１のスクリーン１１と同様な反射型スクリーンである。
トップバー３２は、実施例２のトップバー２２と同様な上部支持部材であるが、溝３２ａの長さが異なっている。
収納部３３は、実施例２の収納部２３と略同様な部材である。
【００３１】
第１の支柱３４は、アルミニウム製のパイプにより形成された略棒状の部材であり、その一端付近の支点３４ａが、収納部３３の長手方向の一端部付近に回転可能に取り付けられており、使用状態と収納状態との間で支点３４ａを中心として回転させられる。第１の支柱３４の支点３４ａとは反対側の端部に設けられた支点３４ｂには、第２の支柱３６が回転可能に設けられている。また、第１の支柱３４の長さは、ガイド部３４ｂが設けられた側の先端が収納状態において収納部３３からはみ出さない長さとなっている。
第２の支柱３６は、アルミニウム製のパイプにより形成された略棒状の部材であり、一端が支点３４ｂに回転可能に取り付けられている。支点３４ｂ側とは反対側の端部には、トップバー３２の裏面側に設けられている溝３２ａに係合して移動をガイドされるガイド部３６ａが設けられている。なお、図４では、説明のためガイド部３６ａを黒点で示しているが、実際には、ガイド部３６ａは、第１の支柱３４の正面側に突出して設けられている。なお、本実施例では、第２の支柱３６の長さは、第１の支柱３４の長さよりも短くなっているが、第１の支柱３４と略同一の長さとしてもよい。
【００３２】
第１のダンパ３５は、一方の支点３５ａが第１の支柱３４の支点３４ａと支点３４ｂとの間となる位置であって支点３４ａに近い位置に回転可能に取り付けられており、もう一方の支点３５ｂが収納部３３に回転可能に取り付けられているオイルダンパである。
第２のダンパ３７は、一方の支点３７ａが第２の支柱３６の支点３６ａの近くに回転可能に取り付けられており、もう一方の支点３７ｂが第１の支柱３４の支点３４ａと支点３４ｂとの間となる位置であって支点３４ｂに近い位置に回転可能に取り付けられているオイルダンパである。
【００３３】
次に、実施例３のスライドアップスクリーン装置３０の使用方法について説明する。
スライドアップスクリーン装置３０を使用するには、まず、図４（ｃ）に示すように収納状態のまま収納部３３を床面等に設置する。
そして、図４（ｃ）の収納状態からトップバー３２を上方へ引き上げる。そうすると、溝３２ａにガイドされて第２の支柱３６も回転しながら引き上げられる。このとき、第１のダンパ３５と第２のダンパ３６との作動抵抗力のバランスにより、第１の支柱３４と第２の支柱３６とがバランスよく引き上げられる。そして、支柱を２本としたことにより、引き上げ可能な高さは、実施例１及び実施例２の場合よりも高くなっている。
【００３４】
また、本実施例では、第１のダンパ３５と第２のダンパ３６との作動抵抗力により、実施例２と同様に、スクリーン３２の引き出し高さを任意の高さとすることができるが、その調節可能な高さの範囲は、実施例２の場合よりも広くなっている。これは、支柱を２本としたことにより、スクリーンを同じ高さまで引き上げたとしても、支柱１本当たりの回転量が少なくなるので、第１のダンパ３５と第２のダンパ３６との作動抵抗力によりトップバー３２を支えることができる限界となる支柱の角度（支柱の長手方向が水平線となす角度）がより小さくなるという理由と、ダンパの数が増えた分、作動抵抗力が２倍となるという理由によるものである。
【００３５】
本実施例によれば、第１の支柱３４と第２の支柱３６の２本の支柱を設けたので、スクリーン３１を引き上げ可能な高さをより高くできる。また、第１の支柱３４と第２の支柱３６の２本の支柱を設けたことに加えて、第１のダンパ３５，第２のダンパ３７を設けたので、スクリーン２２の引き出し高さを設定できる範囲を広げることができる。
【実施例４】
【００３６】
図５は、実施例４のスライドアップスクリーン装置４０を裏面側から見た図である。
実施例４は、実施例３のスライドアップスクリーン装置３０のトップバー３２に代えて、トップバー４２と支持枠４８を設け、同様に第２の支柱３６に代えて第２の支柱４６を設けた形態である。よって、前述した実施例３と同様の機能を果たす部分には、同一の符号を付して、重複する説明を適宜省略する。
トップバー４２は、実施例３のトップバー３２とほぼ同様な部材であるが、実施例３の溝３２ａに相当する部分が設けられておらず、第２の支柱３６のガイド部３６ａが係合していない点が異なる。
【００３７】
支持枠４８は、棒状又は板状の部材の両端を略直角に曲げた形状の部材であり、曲げられた両端が、トップバー４２の両端部に固定されている。本実施例の支持枠４８は、トップバー４２の下部側に配置しているが、これに限らず、トップバー４２の裏面側に配置してもよい。
第２の支柱４６は、実施例３の第２の支柱３６と略同様な部材であるが、ガイド部４６ａの形態が実施例３の場合と異なっている。本実施例のガイド部４６ａは、支持枠４８に係合して移動をガイドされている。
図５に示す使用状態では、ガイド部４６ａは、支持枠４８の略中央を保持している。
【００３８】
本実施例では、ガイド部４６ａは、支持枠４８を介してトップバー４２を保持するので、実施例１から実施例３に示したように１カ所でトップバーを保持するよりもトップバーの曲がりを抑えることができる。よって、スクリーン３１の平面性を高くできる。また、支持枠４８は、スクリーン３１よりも裏面側に配置されるので、使用時の外観を損ねることがない。
【００３９】
（変形例）
以上説明した実施例に限定されることなく、種々の変形や変更が可能であって、それらも本発明の均等の範囲内である。
（１）実施例２から実施例４において、ダンパは、オイルダンパである例を示したが、これに限らず、例えば、ダンパにガススプリングを使用してトップバーの引き上げを補助してもよい。
【００４０】
（２）実施例１及び実施例２において、支柱により直接トップバーを保持する例を示したが、これに限らず、例えば、実施例４と同様な支持枠を設けてもよい。
【００４１】
（３）各実施例において、支柱にアルミニウム製のパイプを使用した例を示したが、これに限らず、例えば、アルミニウム以外の他の金属材料を使用してもよいし、樹脂成型品等を使用してもよい。また、パイプ形状に限らず、他の形状であってもよい。
【００４２】
（４）実施例４において、支持枠４８は、トップバー４２の両端付近に固定されている例を示したが、これに限らず、例えば、トップバーの強度に応じて、固定位置を中央よりの位置にしてもよい。
【図面の簡単な説明】
【００４３】
【図１】実施例１のスライドアップスクリーン装置１０を正面側から見た図である。
【図２】実施例１のスライドアップスクリーン装置１０を裏面側から見た図である。
【図３】実施例２のスライドアップスクリーン装置２０を裏面側から見た図である。
【図４】実施例３のスライドアップスクリーン装置３０を裏面側から見た図である。
【図５】実施例４のスライドアップスクリーン装置４０を裏面側から見た図である。
【符号の説明】
【００４４】
１０，２０，３０，４０  スライドアップスクリーン装置
１１，２１，３１  スクリーン
１２，２２，３２，４２  トップバー
１３，２３，３３  収納部
１４，２４  支柱
３４  第１の支柱
３６，４６  第２の支柱
１５  補助柱
２５  ダンパ
３５  第１のダンパ
３７  第２のダンパ
４８  支持枠
【図１】
2007334160.tif 000003
【図２】
2007334160.tif 000004
【図３】
2007334160.tif 000005
【図４】
2007334160.tif 000006
【図５】
2007334160.tif 000007